(57)【特許請求の範囲】
【請求項１】
冷蔵室と、前記冷蔵室の開閉を行う扉に設けられた扉ポケットと、前記扉ポケットの前面開口部に設けられ、冷気を保持可能とする略密閉空間を形成するように前記開口部に設けられた開閉自在の引戸と、を供え、前記冷蔵室の棚が前記引戸に当って前記引戸が破損しないように前記扉ポケットの前面に棚当り防止用のリブを設けたことを特徴とする冷蔵庫。
【請求項２】
前記扉ポケットは、前記冷蔵室の開閉を行なう扉に設けられた上扉ポケット及び下扉ポケットとから構成され、前記上扉ポケットと前記下扉ポケットとの間に形成された開口部に開閉自在の引戸を設けるようにしたことを特徴とする請求項１に記載の冷蔵庫。
【請求項３】
前記略密閉空間部に冷気を取り入れる複数または単数の冷気取入口と、前記略密閉空間部内の冷気を排出する複数または単数の冷気排出口と、を供え、前記略密閉空間部に収納する収納物を冷却するようにしたことを特徴とする請求項１または２のいずれかに記載の冷蔵庫。
【請求項４】
略密閉空間部の扉内板側に、冷気通路を形成する段差を設けたことを特徴とする請求項１〜３のいずれかに記載の冷蔵庫。
【請求項５】
冷気取入口に冷気を導く冷蔵室側面に設けられた側面ダクトと冷蔵室天井に設けられた天井ダクトの両方若しくは一方を設けたことを特徴とする請求項１〜４のいずれかに記載の冷蔵庫。
【請求項６】
略密閉空間部を構成する部材の一部または全部を、前記略密閉空間部内が透視可能な材料で形成したことを特徴とする請求項１〜５のいずれかに記載の冷蔵庫。
【請求項７】
前記開口部の上下縁に形成された上下一対の引戸レールを供え、前記引戸と前記下側に設けた引戸レールを、同一材料にしないことを特徴とする請求項１〜６のいずれかに記載の冷蔵庫。
【請求項８】
引戸と下側に設けた引戸レールの両方若しくは一方に摺動部材を設けたことを特徴とする請求項１〜７のいずれかに記載の冷蔵庫。
【請求項９】
引戸の上側の引戸レールと下側の引戸レールの両方若しくは一方を、扉棚部と一体で形成したことを特徴とする請求項１〜８のいずれかに記載の冷蔵庫。
【請求項１０】
引戸の上側の引戸レールと下側の引戸レールの両方若しくは一方を、着脱自在にしたことを特徴とする請求項１〜９のいずれかに記載の冷蔵庫。
【請求項１１】
略密閉空間部の天井面と床面を扉棚部で形成したことを特徴とする請求項１〜１０のいずれかに記載の冷蔵庫。
【請求項１２】
略密閉空間部の天井面を形成する上扉棚部は、背面側の高さを前面側の高さより低くしたことを特徴とする請求項１１記載の冷蔵庫。
【請求項１３】
略密閉空間部の天井面を形成する上扉棚部と床面を形成する下扉棚部を一体で形成したことを特徴とする請求項１〜１２のいずれかに記載の冷蔵庫。
【請求項１４】
略密閉空間部内に収納物の仕切りを設けたことを特徴とする請求項１〜１３のいずれかに記載の冷蔵庫。
【発明の詳細な説明】
【０００１】
【発明の属する技術分野】
この発明は、冷蔵室の温度分布を改善するため、冷蔵室扉ポケットに略密閉空間部を設けた冷蔵庫の扉ポケット及び略密閉空間部の構造に関するものである。
【０００２】
【従来の技術】
図２５、図２６は例えば特開平８ー７５３３８号公報に示された従来の冷蔵庫を示す要部断面図及び斜視図である。図において、１は冷蔵室扉、２は鋼板より成る冷蔵庫の外箱、３は合成樹脂シートを真空成形にて成形された内箱、４は外箱２と内箱３との間に注入されたポリウレタン等の断熱材、５は断熱仕切壁で、冷蔵室６と冷凍室７を区画している。
【０００３】
８は断熱仕切壁５内に設けられた冷気吸込風路、９は冷却器で冷却された冷気を冷蔵室６に供給するための背面冷気風路、１０は背面冷気風路９への冷気量をコントロールするダンパー、１１は温度センサで、庫内の雰囲気温度を検知してダンパ１０の開閉を制御している。
【０００４】
１２は背面冷気風路９に設けられた冷気吹出口で、食品等を載置する棚１３に仕切られた区画毎に設けられている。
【０００５】
１４は冷蔵室６の扉ポケットで、冷蔵室扉１の開閉で食品等が落下しないように３５〜８０ｍｍぐらいの高さになっている。
【０００６】
１５は合成樹脂シートを真空成形にて成形された内板で、扉ポケットが取付けられている。
【０００７】
温度センサ１１で庫内の雰囲気温度を検知し、温度が設定温度より高くなるとダンパ１０を開いて背面冷気風路９へ冷気を流入する。
【０００８】
背面冷気風路９へ流入した冷気は冷気吹出口１２から各棚１３に吹出し、棚１３の手前から扉ポケット１４を冷却した後、冷気吸込風路８に戻る。
【０００９】
【発明が解決しようとする課題】
冷蔵庫の大型化が進むなかで、冷蔵庫（貯蔵室）内の収納物である食品の温度管理が重視されるようになってきており、特に容量が大きくなるほど貯蔵室内の温度分布が悪くなるため、より精密な温度管理が求められている。しかしながら、従来の冷蔵庫は以上のように構成されているので、扉ポケットに置かれた食品は、扉を開けるたびに冷蔵庫の外気（暖気）にさらされて、食品温度は外気温度近くまで上昇し、扉を閉めてもなかなか冷やされない。加えて、扉ポケットは一番食品等の出し入れが簡単で、見やすいスペースであるのに対し、温度上昇が高く保存性の悪いスペースであり、収納する食品はどうしてもビン類など保存の効くものに制限されてしまう。また、扉ポケットに食品を重ねて置くと、扉を開閉した時の遠心力で落下してしまうので、扉ポケットの高さより上には、重ねて収納できず、デッドスペースができてしまうという課題があった。
特に冷蔵室は、冷凍室に比べ扉の開閉回数も多く、扉を開いた時の温度上昇も大きいこともあり保存性が悪くなってしまうという課題があった。
この発明は、かかる問題点を解決するためになされたもので、冷蔵室の扉ポケットの温度上昇を防ぎ、扉開閉後に冷蔵室が元の温度にすぐに戻るよう改善し、収納性を向上させることを目的としている。
【００１０】
【課題を解決するための手段】
この発明に係わる冷蔵庫は、冷蔵室と、前記冷蔵室の開閉を行う扉に設けられた扉ポケットと、前記扉ポケットの前面開口部に設けられ、冷気を保持可能とする略密閉空間を形成するように前記開口部に設けられた開閉自在の引戸と、を供え、前記冷蔵室の棚が前記引戸に当って前記引戸が破損しないように前記扉ポケットの前面に棚当り防止用のリブを設けたものである。
【００１１】
また、前記扉ポケットは、前記冷蔵室の開閉を行なう扉に設けられた上扉ポケット及び下扉ポケットとから構成され、前記上扉ポケットと前記下扉ポケットとの間に形成された開口部に開閉自在の引戸を設けるようにしたものである。
【００１２】
また、前記略密閉空間部に冷気を取り入れる複数または単数の冷気取入口と、前記略密閉空間部内の冷気を排出する複数または単数の冷気排出口と、を供え、前記略密閉空間部に収納する収納物を冷却するようにしたものである。
【００１３】
また、略密閉空間部の扉内板側に、冷気通路を形成する段差を設けたものである。
【００１４】
また、冷気取入口に冷気を導く冷蔵室側面に設けられた側面ダクトと冷蔵室天井に設けられた天井ダクトの両方若しくは一方を設けたものである。
【００１５】
また、略密閉空間部を構成する部材の一部または全部を、前記略密閉空間部内が透視可能な材料で形成したものである。
【００１６】
また、前記開口部の上下縁に形成された上下一対の引戸レールを供え、前記引戸と前記下側に設けた引戸レールを、同一材料にしないものである。
【００１７】
また、引戸と下側に設けた引戸レールの両方若しくは一方に摺動部材を設けたものである。
【００１８】
また、引戸の上側の引戸レールと下側の引戸レールの両方若しくは一方を、扉棚部と一体で形成したものである。
【００１９】
また、引戸の上側の引戸レールと下側の引戸レールの両方若しくは一方を、着脱自在にしたものである。
【００２０】
また、略密閉空間部の天井面と床面を扉棚部で形成したものである。
【００２１】
また、略密閉空間部の天井面を形成する上扉棚部は、背面側の高さを前面側の高さより低くしたものである。
【００２２】
また、略密閉空間部の天井面を形成する上扉棚部と床面を形成する下扉棚部を一体で形成したものである。
【００２３】
また、略密閉空間部内に収納物の仕切りを設けたものである。
【００２４】
【発明の実施の形態】
実施の形態１．
以下、この発明の実施の形態１を図について説明する。１〜１５の番号と名称は従来の技術で説明したものと同様なため、説明を省略する。図１は冷蔵庫を横から見た要部断面図、図２は図１の要部拡大図である。
図において、１６は冷蔵室扉１の上側に設けられた扉棚部である上扉ポケット、１７は下側に設けられた扉棚部である下扉ポケットで、上扉ポケット１６と下扉ポケット１７を側面でつなげて一体化し、前面開口部に引戸式のフタ１８を設けて略密閉空間部１９を形成している。略密閉空間部１９とフタ１８の材料は透明な合成樹脂で形成しているので、略密閉空間部１９内に収納した収納物（食品等）が見やすく、使い忘れの心配がない。尚、略密閉空間部１９とフタ１８の材料のすべてを透明な合成樹脂にしなくても、一部不透明や全部不透明等、収納した食品が透視可能であれば良い。
２３、２４は引戸式のフタ１８を左右に摺動させるための上下一対の上引戸レールと下引戸レールである。２５はフタ１８を左右に摺動させる時のつまみである。２６は食品がフタ１８に当たるのを防止して開閉をスムースにするための食品当り防止リブである。ここでは、下引戸レール２４に設けているが、フタ１８や下扉ポケット１７に設けても良い。
２１は上扉ポケット１６に設けた冷気取入口で、２２は下扉ポケット１７の床面に設けた冷気排出口である。冷気取入口２１から冷気が略密閉空間部１９内へ流れ保持され略密閉空間部１９内の収納物を充分に冷やし、冷気排出口２２から出ていく。
図３は、冷蔵室を上から見た上扉ポケット１６付近の断面図である。内板１５の背面に設けられ略密閉空間部１９につながる凹形状の段差になっている通気ダクト２０は、冷気吹出口１２から吹出した冷気の一部を略密閉空間部１９へ送っている。
尚、略密閉空間部１９の天井面を形成する上扉ポケット１６と床面を形成する下扉ポケット１７を一体に形成すると、組立性も良く、たわみやひねりも少なく、コストも少なくなる。
【００２５】
図４、図５は、冷蔵庫を横から見た縦断面図であり、４９は上扉ポケット１６に入っている食品等である。２１は上扉ポケット１６の床面を凹凸形状にして、その凹部に設けた冷気取入口で、冷蔵室６の背面に設けられた冷気吹出口１２から吹出した冷気の一部を略密閉空間部１９内に取り入れる。２２は下扉ポケット１７の床面を凹凸形状にして、その凹部に設けた冷気排出口で、略密閉空間部１９内を冷却して暖まった冷気を略密閉空間部１９外へ排出する。よって、上扉ポケット１６と下扉ポケット１７に食品を置いても、食品と凹部に隙間が確保されるので、冷気取入口２１と冷気排出口２２は塞がれる心配はない。
【００２６】
図６は冷蔵庫扉１の冷蔵庫内側の扉ポケット部の斜視図である。図において、１６は冷蔵室扉１の上側に設けられた略密閉空間部１９の天井面を形成する扉棚部である上扉ポケット、１７は略密閉空間部１９の床面を形成する扉棚部である上扉ポケット１６の下側に設けられた下扉ポケットで、上扉ポケット１６と下扉ポケット１７を側面でつなげて一体化し、前面開口部に引戸式のフタ１８を設けて略密閉空間部１９を形成している。フタ１８には、フタ１８を開閉するためのつまみ２５を設けている。２０は内板１５の背面に設けられ略密閉空間部１９につながる凹形状の段差になっている通気ダクト、２１は上扉ポケット１６に設けた冷気取入口である。
【００２７】
図７は冷蔵庫を横から見た扉ポケット部付近の断面図である。３８は庫内の天井面に設けた天井ダクト、５５は天井ダクト３８に設けた天井用冷気吹出口で、天井ダクト３８からの冷気は上扉ポケット１６方向に吹出され、その冷気は通気ダクト２０及び上扉ポケット１６から（食品類４９を冷やし）通気ダクト２０へ導かれる。略密閉空間部１９内に取り入れられた冷気は、略密閉空間部１９内の収納物を冷やし、略密閉空間部の冷気排出口２２から冷蔵庫内に導かれる。
【００２８】
５０は上扉ポケット１６の背面側である冷蔵庫扉１側に設けられた切欠部である。上扉ポケット１６内いっぱいに食品４９が収納されたとき、上扉ポケット１６の底面に設けられた冷気取入口２１は食品４９で塞がれてしまい、略密閉空間部１９内には通気ダクト２０からの冷気しか流れず、冷気取入口２１からは冷気が送られなくなる。更に、背の高い食品４９が上扉ポケット１６内に収納された場合は、その食品４９により通気ダクト２０への冷気供給が遮られることがある。そこで、上扉ポケット１６の背面に切欠部５０を設けて、上扉ポケット１６内にたまった冷気をその切欠部５０から通気ダクト２０に導き、略密閉空間部１９に冷気を流している。
【００２９】
図７において、切欠部５０の上扉ポケット１６底面からの高さＢは、上扉ポケット１６の前面の高さＡより低く設けている。高さＢを低く設けることにより、上扉ポケット１６内の冷気は上扉ポケット１６の前面側から通気ダクト２０側である背面側に流れやすくなる。
【００３０】
尚、図６では、通気ダクト２０の横幅と切欠部５０の横幅は同じ幅に設けたが、切欠部５０の横幅は通気ダクト２０の横幅にかかっていれば良く、小さくても大きくても良い。しかしながら、切欠部５０の横幅は大きい方が上扉ポケット１６内にたまっている冷気が通気ダクト２０に沢山流れるのは言うまでもない。
また、切欠部５０は切欠形状としたが、上扉ポケット１６は背面の全幅を前面高さＡより低くしても良く、側面部の高さもＡより低くしても良い。
【００３１】
以上より、上扉ポケット１６内に食品４９がどのように収納された場合でも、十分な冷気が略密閉空間１９内に導かれるようになる。
【００３２】
尚、ここでは天井ダクト３８の天井用冷気吹出口５５から上扉ポケット１６及び通気ダクト２０に冷気が導かれたものを示したが、冷蔵庫天井部からだけの冷気ではなく、冷蔵庫の側部から等、上扉ポケット１６及び通気ダクト２０に冷気が流れるものに用いられる。
【００３３】
図８、図９は、冷蔵庫を上から見た下扉ポケット１７付近の要部断面図である。１は冷蔵庫扉、２７は内板１５の背面に設けた段差、１８ａ、１８ｂは略密閉空間部１９の前面を摺動可能に閉塞する引戸式のフタであり、１８ａは冷蔵庫内側、１８ｂは略密閉空間部側に設けられている。１５は、フタ１８ａ、１８ｂに設けられたフタ１８ａ、１８ｂを開閉するための取っ手、４９は略密閉空間部１９内に収納された食品類、２８は下扉ポケットに設けられた棚当り防止リブである。
冷蔵室の棚１３が引出された状態で冷蔵室扉１を閉めた時に、フタ１８に棚１３の前面が当って破損してしまうのを防ぐため、下扉ポケット１７の前面に棚当り防止リブ２８を設けている。５２は傷付き防止リブで、固い食品４９がフタ１８ｂに当たり、フタ１８ｂの平面部が傷付くことを防ぐものである。
２９、３０は左右一対の引戸式のフタ１８ａ、１８ｂの重合部分に設けた、端面を薄くする傾斜部Ａ、傾斜部Ｂである。傾斜部Ａである２９はフタ１８の外面を平面的に見せて、意匠性を向上させている。傾斜部Ｂである３０はフタ１８の内面を平滑にしているので、食品がフタ１８に接触した場合でも、接触部分に片方のフタ１８が入り込んでスムースに開閉できる。
この構造にすることにより、食品４９が外側のフタ１８に接触しても、内側のフタ１８がスライドできる。
また、冷蔵庫扉１の内板１５に食品が接触すると外気の熱伝導により食品の温度が上昇してしまうので、内板１５の背面に段差２７を設け、内板１５と食品の接触面積を減らして食品の温度上昇を防ぎ、食品４９により冷気の通路が塞がれることはない。
【００３４】
図９において、固い缶やタッパー等の食品４９が略密閉空間部１９内に収納されフタ１８ｂに当たっている時に、フタ１８ｂを開けて食品４９を取り出そうとすると食品４９によりフタ１８ｂの内側面（略密閉空間部に面する面）に横方向の傷、こすれ傷が付くことがある。そこで、フタ１８ｂの傾斜部３０に傷付き防止リブである凸部５２を設け、フタ１８ｂを開けると傷付き防止リブ５２に食品４９が当たるようにする。食品４９が傷付き防止リブ５２先端より内側に動くことにより、食品４９がフタ１８ｂの平面部には当たらず傷付き防止リブ５２に当たる。
【００３５】
尚、図９において、傷付き防止リブ５２はフタ１８ｂの傾斜部３０に設けたが、傾斜部３０近傍であれば平面部にあっても良い。また、傷付き防止リブ５２を高さ方向に一杯に設けると、略密閉空間部１９内に高さのある食品４９が収納された場合にも、フタ１８ｂの平面部には傷が付かない。
【００３６】
以上、傷付き防止リブ５２には食品４９が当たり傷が付くが、人が冷蔵庫扉１を開けて正面から見た時に見えるフタ１８ｂの略密閉空間部１９側の平面部には傷が付かず、傷が付いた場合の汚れも溜まることがなく、透明部材または半透明部材である透視可能な材料でできているフタ１８ｂの意匠性を損ねることもない。
尚、傷付き防止リブ５２はフタ１８ｂと一体成形しても良い。
【００３７】
図１０、図１１は冷蔵庫正面から見たフタ１８部付近の拡大図である。１６は上扉ポケット、１７は下扉ポケット、１８は上扉ポケット１６と下扉ポケット間に設けられた略密閉空間部１９の前面を覆うフタであり、フタ１８を開閉するためのとって２５を設けている。
フタ１８の摺動性を向上するためにフタ１８の下部に接触凸部３３を設けて下引戸レール２４の下レール溝３６との接触面積を減らしている。
３４はフタ１８の左右の付け間違いを防ぐために、文字や絵を彫刻、シボや印刷などで上下左右を明確にするマークである。この様なマークをつけることにより、左右のフタを間違えて使ってしまい、略密閉空間部１９内の冷気漏れを起したり、フタ１８の清掃時など一度取り外してはめ直す時、間違えることがなくなる。
【００３８】
図１１のように、冷蔵庫扉１開閉時にフタ１８が開くのを防止するストッパー部となる凸部５１を下レール溝３６に設けている。フタ１８下部の凸部３３が、下レール溝３６の凸部５１に引っ掛かり、フタ１８が軽い場合でも、冷蔵庫扉１開閉時にフタ１８が開いてしまうことがなくなる。フタ１８下部の凸部３３が下レール溝３６の凸部を越えることによりフタ１８は初めて開くことになる。
尚、下レール溝３６の凸部の出っ張りは、冷蔵庫扉１の開閉により開かない程度、且つフタ１８を開けやすい程度のものが良い。
【００３９】
図１２はフタ１８付近の要部断面図である。２３は上引戸レール、２４は下引戸レール、３５は上レール溝、３６は下レール溝である。下引戸レール２４の凹部３１に下扉ポケット１７の爪３２を係止させて、下引戸レール２４を着脱自在にしているので、汚れても簡単に外して洗える。下引戸レール２４の材料をフタ１８と違う材料にした（同じ材料にしない）ことにより、摺動時に発生する摩擦熱で部品間に起こる分子レベルの接着現象を抑え、スムースに開閉できる。また、下引戸レール２４に着色、印刷や塗装などを加えて意匠性を持たせている。
フタ１８を外す時は、障子の敷居と鴨居の関係と同様、フタ１８を上レール溝３５に押し込みながら下レール溝３６から手前に引いて簡単に外すことができる。略密閉空間部１９内にビン類など保存の効くものを収納する場合にフタ１８を外して使え、フタ１８を汚した場合も簡単に外して洗える。また、上レール溝３５とフタ１８の上端にクリアランスをとっているので、上扉ポケット１６に食品を乗せてたわんでも、フタ１８はスムースに開閉できる。
【００４０】
図１３はフタ１８の正面から見た拡大図である。図において、１６は上扉ポケット、１８は略密閉空間部１９の前面を覆うフタ、２５はフタ１８に設けられたフタ１８開閉用取っ手、５６はフタ１８の上部に設けられた凸部、３５は上扉ポケット１６に取り付けられた上引戸レール２３に設けられた上レール溝、５４は上レール溝３５に設けられた凹部である。
【００４１】
フタ１８と上レール溝３５とは障子の敷居と鴨居の関係と同じように、フタ１８の上部を上レール溝３５に押し込みながらフタ１８の下部を手前に引いて取り出せるようになっている。しかしながら、フタ１８が軽い場合などフタ１８を開閉する際につまみ２５を握った時上方に力がかかりフタ１８が持ち上がり、フタ１８の下側が下レール溝３６から外れてしまうことがある。
【００４２】
フタ１８の開閉時にフタ１８が外れないよう、上レール溝３５に凹部５４を設け、フタ１８の上方にこの凹部５４に嵌合する凸部５６を設けた。フタ１８を摺動させる際、上レール溝３５内をフタ１８の上部が摺動する。フタ１８の上部に凸部５６を設け、フタ１８が摺動している時はフタ１８の凸部５６が上レール溝３５に突き当たるようにしたので、上レール溝３５の凹部５４にフタ１８の凸部５６が嵌合する位置関係になるまでフタ１８が外れることはない。フタ１８の凸部５６が上レール溝３５の凹部５４の所に行き、フタ１８を持ち上げると、フタ１８の凸部５６は上レール溝３５の凹部５４いっぱいに持ち上がり、ここで初めてフタ１８の下部が下レール溝３６から外れ、フタ１８を外すことができる。
尚、上レール溝３５の凹部５４の位置は、フタ１８開閉時にフタ１８を持ち上げる可能性の高いフタの開け始めや摺動途中にフタの凸部５４かかる場所より、フタ１８を持ち上げる可能性の低いフタ１８を最後まで開けきった、取っ手２５に力をかける必要のなくなった位置（右のフタ１８は左へ全開した時、左のフタ１８は右へ全開した時にフタ１８の凸部５６が凹部５４にかかる位置）に設けることにより、フタ１８が外れる確率は減り信頼性が高まる。
【００４３】
図１４（ａ）はフタ１８部分の正面拡大図、図１４（ｂ）と図１４（ｃ）はフタ１８ｂのつまみ２５部分の拡大図である。１８ａは冷蔵庫内に面する側の表側のフタ、１８ｂは略密閉空間部１９に面する裏側のフタである。
図１３では、フタ１８の上部に設けられた凸部５６と、上レール溝３５に設けられた凹部５４を設けフタ１８の外れ防止をしたが、ここでは意識的に扉を外す時、例えばフタ１８の清掃時や交換時等必要時のみフタ１８が外れるよう、フタ１８の凸部５６と上レール溝３５に加え、フタ１８のつまみ２５にストッパーである凸部５７を設けた。また、略密閉空間部１９の容器（ここでは上扉ポケット１６の前面）に、上レール溝３５の凹部５４に当たる場所にマークＡ（５８）を付け、フタ１８ａにフタ１８ａの凸部５６がある場所にマークＢ（５９）を付け、凸部５６と凹部５４を合わせる位置を分かりやすくした。
【００４４】
フタ１８を外す動作は以下の通りである。
右のフタ１８ａを外す場合、右のフタ１８ａを図１４（ａ）の矢印方向に押し、図１４（ｂ）のように右のフタ１８ａがストッパー５７に当てる。図１４（ｃ）の矢印方向に左のフタ１８ｂの取っ手２５を押し、フタ１８ａで凸部５７を乗りこえさせる。次にマークＡ（５８）とマークＢ（５９）を合わせ、上レール溝３５の凹部５４にフタ１８ａの凸部５６を持ち上げ嵌合させる。そして、右のフタ１８ａを持ち上げて手前に引くと、右のフタ１８ａが外れる。左のフタ１８ｂは、左のフタ１８ｂを持ち上げて外す。
【００４５】
通常のフタ開閉動作時には、右のフタ１８ａを左にスライドさせるとストッパー５７に当たり、上レール溝の凹部５４とフタ１８ａの凸部５６が合わない為フタは外れないので、必要時以外のフタ１８外れがなくなる。。
以上、通常時のフタ１８の摺動（スライド）ではフタ１８が外れないようにするため、フタ１８ａがストッパー部である凸部５７を乗り越えるステップ（１ｓｔｅｐ）と、上レール溝の凹部５４とフタ１８ａの凸部５６を合わせるステップ（２ｓｔｅｐ）のふたつのステップを踏んで、フタ１８ａを上方に持ち上げて外すようにしている。
【００４６】
尚、ここでは、左のフタ１８ｂは右のフタ１８ａとの重なりが有り外れ難くなっている為、左のフタ１８ｂには右のフタ１８ａの凸部５６に相当するもの、及びその凸部５６に嵌合する上レール溝３５の凹部５４は備えていないが、これらを備えることにより、更にフタ外れが防止され信頼性が向上する。
【００４７】
尚、以上ストッパ−５７はつまみ２５に設けたが、フタ１８ｂに設けても良い。
【００４８】
図１５のように、フタ１８の開閉をしないで、どちらか片方のフタを開けたままの状態で使うこともできる。
また、右のフタ１８を矢印方向へ開いた時に、右のフタ１８左端が左のフタ１８のつまみ２５を押し込み、一度にフタ１８を開けることができる。
ここでは、略密閉空間部の天井面と床面を扉棚部である扉ポケットで形成したので、略密閉空間部を新たに設けるものに比べ材料費が少なくてすむ。また、新たに天井面と床面を構成する部品を設けなくてすむので、組立て部品数が少なく（部品コストが安く）、組立て作業が少なく（加工費が安く）できる。
【００４９】
天井ダクト３８の冷気吹出口５５または冷気吹出口１２または冷蔵庫側面に設けた側面ダクトの冷気吹出口に対向した位置に略密閉空間部１９内への冷気取入口を設ける。よって、冷気を略密閉空間部１９に直接取り入れているため、略密閉空間部１９内の温度を低く保つことができる。
また、略密閉空間部１９を冷蔵庫扉１のほぼ巾方向全体に設ける。よって、略密閉空間部１９が冷蔵室内の広いスペースを密閉しているため、庫内の温度変化を受けるスペースが小さくなる。
また、密閉空間部１９を庫内を仕切る棚であって上方にある複数の棚１３と対向する位置に設けている。よって、庫内に吹出された冷気の流れを乱す構造が少なくなり、かつ、温度の上がりやすい上方の棚を効果的に冷やすことができる。
図１において、冷気は棚１３に沿って吹出され、庫内を上から下へ流し、庫内全体の食品を冷却している。通常、冷気の流れは扉ポケット１６、１７にぶつかり乱される。扉ポケット部に密閉された密閉空間部や収納部を設けることにより、棚１３を冷却した冷気は密閉空間部１９のフタ１８によりスムースに下方流れるので、冷蔵庫扉１の構造や扉ポケット１６、１７の構造により冷気が乱されることがなく、庫内の流れが効果的となり、少ないエネルギーで食品を冷やすことができる。よって、冷蔵庫の省エネ効果が得られる。
【００５０】
実施の形態２．
以下、この発明の実施の形態２を図において説明する。図１６、図１７は冷蔵庫を横から見た略密閉空間部１９付近の縦断図である。図１６において、上引戸レール２３は上扉ポケット１６と一体で形成されているので、引戸レールの固定度が良く、部品点数も減る。ここでは下引戸レール２４を下扉ポケット１７を別体で形成しているが、一体で形成することにより同様の効果がある。図において、庫内の側面に設けた側面ダクト３７からの冷気を略密閉空間部１９内に取り入れている。冷気取入口５３を側面ダクト３７の冷気吹出口１２に相対する位置に設けると確実に冷気を取り入れることができる。ここでは、略密閉空間部１９の上面、側面、背面から冷気を入れ底面から排出しており、略密閉空間部１９内のどこに収納物が置かれていても確実に冷やされる。
【００５１】
図１７において、庫内の天井面に設けた天井ダクト３８に設けた天井用冷気吹出口５５からの冷気を略密閉空間部１９内に取入れる場合は、冷気排出口２２を略密閉空間部１９の側面上方に設けることにより、冷気が略密閉空間部１９内を対流し、略密閉空間部１９内の収納物全部を充分に冷やすことができる。
図１７の冷気排出口２２は、図１６の冷気取入口５３と同じ形状にすると、同じケースを使って冷気の取入口と排出口が違うものを得ることができる。
尚、側面ダクト３７、天井ダクト３８、各ダクトに対向する場所に冷気取入口、冷気排出口を設けると更に密閉空間部１９内に冷気が取り入れられ、冷却効果も高くなる。
【００５２】
実施の形態３．
以下、この発明の実施の形態３を図において説明する。図１８は冷蔵庫を横から見た略密閉空間部１９付近の縦断図である。
上引戸レール２３を内板１５の天井壁３９に設け、上扉ポケット１６を覆う逆Ｌ字型の天面付きフタ４０を設けて、上扉ポケット１６の収納スペースも略密閉空間部１９にしている。以上より上面までのフタ４０を形成しているので、フタ４０を開けた時に上面が開放されて食品の出し入れが簡単である。
【００５３】
実施の形態４．
以下、この発明の実施の形態４を図において説明する。図１９はこの発明の実施の形態４による冷蔵庫の横断面図である。
上扉ポケット１６の床面下側に係止部４１を設け、略密閉空間部１９内を左右に動く仕切り４２を取付けている。以上より重ねた食品や袋物の食品の倒れを防いで整理性を向上できる。
【００５４】
実施の形態５．
以下、この発明の実施の形態５を図において説明する。図２０は略密閉空間部１９付近の斜視図である。
略密閉空間部１９の前面と内板１５に縦に延びるレール４３ａ、４３ｂを設けて、フタ１８を上または下にスライドさせて開閉している。
フタ１８が扉ポケット１７より下や前に落ちないよう、内板１５またはポケットの横側に凸部を、ポケットの下側に出っ張りを設け、フタ１８を上からはめ込むとフタ１８の下面はポケットに乗り、ポケットの側面は凸部に乗る構造にするなど、フタ１８が落ちない構造にしている。
この構造により、略密閉空間部１９の側面部及び前面部を前開することが可能となり、略密閉空間部１９の収納物を取り出し易くなる。また、フタ１８を開放したまま扉１を閉めることができる。
【００５５】
実施の形態６．
以下、この発明の実施の形態６を図において説明する。図２１はこの発明の実施の形態６による冷蔵庫の要部斜視図である。
フタ１８の上下に軸部４４ａ、４４ｂを設けて上扉ポケット１６、下扉ポケット１７で扉ポケットで軸支して、フタ１８を左右に回転させて開閉させている。ここでは、扉ポケットで軸支したが、内板１５で軸支してもよい。
この構造により略密閉空間部１９の前面部を開放することや、側面部を開放することが可能となり、略密閉空間部１９の収納物を取り出し易くなる。
【００５６】
実施の形態７．
以下、この発明の実施の形態８を図において説明する。図２２はこの発明の実施の形態７による冷蔵庫の要部斜視図である。
フタ１８の上または下に軸部４４を設けて上または下扉ポケット１６、１７で軸支し、フタ１８を上下に回転させて開閉できるようにしている。
この構造により略密閉空間部１９の前面部を大きく開放することが可能となり、略密閉空間部１９の収納物を取り出し易くなる。
【００５７】
実施の形態８．
以下、この発明の実施の形態８を図において説明する。図２３はこの発明の実施の形態８による冷蔵庫の要部斜視図である。
フタ１８の側面に軸Ａ４５と軸Ｂ４６の２軸を設け略密閉空間部１９の側面上側に軸レール４７を設けて軸支して、フタ１８を上側へ回転しながら押し込んで開閉している。
この構造により略密閉空間部１９の前面部を大きく開放することが可能となり、略密閉空間部１９の収納物を取り出し易くなる。また、フタ１８を開放したまま扉１を閉めてもフタ１８が略密閉空間部１９にスライドしフタ１８が壊れることは無い。
尚、軸レール４７を側面下側に設けて、フタ１８を下側へ回転しながら押し込んで開閉しても良い。
【００５８】
実施の形態９．
以下、この発明の実施の形態９を図において説明する。図２４はこの発明の実施の形態９による冷蔵室を正面から見たフタ１８部付近の拡大図である。
フタ１８に摺動剤入りまたは表面の平滑な材料で形成したフタ１８と別体の摺動部材４８を設けて、下引戸レール２４との摩擦を充分に減らして摺動性を向上させている。
【００５９】
以上、フタ１８を蛇腹式やカーテン式やシャッター式等、やわらかい構造にすると、フタ１８の開閉は扉１の開閉に支障がなくなる。
【００６０】
冷蔵室は、冷凍室に比べ扉の開閉回数も多く、また、扉を開いた時の温度上昇も大きいこともあり保存性が悪く問題があった。例えば、ある冷蔵庫において、冷蔵室扉を１分間開放すると冷蔵室前面の温度は２３度まで上昇して、扉を閉じてから通常の温度にはなかなか戻らない。この発明の構造にすることにより、冷蔵室扉を１分間開放しても冷蔵室前面の温度は１０度〜１５度程にしか上昇せず、通常の温度に戻るには約１分しかかからない。よって、食品を悪くすることなく、しっかり保存することができる。すなわち、扉棚部である扉ポケットに置かれた食品は、扉を開けるたびに冷蔵庫の外気（暖気）にさらされても、食品温度はほとんど上昇しないので、今までだったら棚に収納していた食品も安心して扉ポケットに収納できる。また、扉ポケットの一番食品等の出し入れが簡単で、見やすいスペースに食品の収納ができ、扉ポケットのスペースが有効的に使える。さらに、フタが付いているので、扉を開閉した時に食品が落下することはなく、扉ポケットスペースに食品を重ねて置くことができる。
【００６１】
冷蔵室扉１の閉時、略密閉空間部１９内への冷気供給は行われていて、ダンパ１０により冷気の供給量が調整されている。また、冷気供給ダクトの一部にシャッターを設けたり、略密閉空間部１９にシャッターを設けたりして冷気の供給量を調整することができる。
【００６２】
尚、冷蔵室扉１を開けたときに冷気が供給されない場合でも、略密閉空間部１９はほとんど温度が上昇せず、冷蔵室扉１を閉めた時に略密閉空間部１９に冷気が流れ、温度が元通りにすぐ復帰する。
【００６３】
【発明の効果】
この発明は、以上説明したように構成されているので、以下に記載されるような効果を奏する。
【００６４】
この発明に係わる冷蔵庫は、冷蔵室と、前記冷蔵室の開閉を行う扉に設けられた扉ポケットと、前記扉ポケットの前面開口部に設けられ、冷気を保持可能とする略密閉空間を形成するように前記開口部に設けられた開閉自在の引戸と、を供え、前記冷蔵室の棚が前記引戸に当って前記引戸が破損しないように前記扉ポケットの前面に棚当り防止用のリブを設けたので、冷蔵室扉１を閉めた時に、引戸に棚１３の前面が当って破損してしまうのを防止できる。
【００６５】
また、前記扉ポケットは、前記冷蔵室の開閉を行なう扉に設けられた上扉ポケット及び下扉ポケットとから構成され、前記上扉ポケットと前記下扉ポケットとの間に形成された開口部に開閉自在の引戸を設けるようにしたので、収納物が取り出しやすくなる。
【００６６】
また、前記略密閉空間部に冷気を取り入れる複数または単数の冷気取入口と、前記略密閉空間部内の冷気を排出する複数または単数の冷気排出口と、を供え、前記略密閉空間部に収納する収納物を冷却するようにしたので、冷蔵室扉棚部の収納物の保存性が良くなる。
【００６７】
また、略密閉空間部の扉内板側に、冷気通路を形成する段差を設けたので、略密閉空間部に充分に冷気が供給され収納物が冷やされる。
【００６８】
また、冷気取入口に冷気を導く冷蔵室側面に設けられた側面ダクトと冷蔵室天井に設けられた天井ダクトの両方若しくは一方を設けたので、略密閉空間部に更に冷気が供給され、密閉空間部内の温度上昇が少なくなる。
【００６９】
また、略密閉空間部を構成する部材の一部または全部を、前記略密閉空間部内が透視可能な材料で形成したので、略密閉空間部内に収納した収納物が見やすく、使い忘れの心配がない。
【００７０】
また、引戸と下側に設けた引戸レールを、同一材料にしないので、摺動時に発生する摩擦熱で部品間に起こる分子レベルの接着現象を抑え、スムースに開閉できる。
【００７１】
また、引戸と下側に設けた引戸レールの両方若しくは一方に摺動部材を設けたので、下引戸レールとの摩擦が減り摺動性が向上する。
【００７２】
また、引戸の上側の引戸レールと下側の引戸レールの両方若しくは一方を、扉棚部と一体で形成したので、引戸レールの固定度が良く、部品点数も減る。
【００７３】
また、引戸の上側の引戸レールと下側の引戸レールの両方若しくは一方を、着脱自在にしたので、汚れても簡単に外して洗える。
【００７４】
また、略密閉空間部の天井面と床面を扉棚部で形成したので、略密閉空間部を新たに設けるものに比べ材料費が少なくてすむ。
【００７５】
また、略密閉空間部の天井面を形成する上扉棚部は、背面側の高さを前面側の高さより低くしたので、上扉棚部内の冷気が略密閉空間部に流れやすくなる。
【００７６】
また、略密閉空間部の天井面を形成する上扉棚部と床面を形成する下扉棚部を一体で形成したので、略密閉空間部の組立性も良く、たわみやひねりも少なく、コストも少なくなる。
【００７７】
また、略密閉空間部内に収納物の仕切りを設けたので、重ねた食品や袋物の食品の倒れを防いで整理性を向上できる。
【図面の簡単な説明】
【図１】  この発明の実施の形態１による冷蔵庫の要部断面図である。
【図２】  図１の要部拡大図である。
【図３】  この発明の実施の形態１による冷蔵庫の要部断面図である。
【図４】  この発明の実施の形態１による冷蔵庫の要部断面図である。
【図５】  この発明の実施の形態１による冷蔵庫の要部断面図である。
【図６】  この発明の実施の形態１による冷蔵庫の要部斜視図である。
【図７】  この発明の実施の形態１による冷蔵庫の要部断面図である。
【図８】  この発明の実施の形態１による冷蔵庫の要部断面図である。
【図９】  この発明の実施の形態１による冷蔵庫の要部断面図である。
【図１０】  この発明の実施の形態１による冷蔵庫の要部拡大図である。
【図１１】  この発明の実施の形態１による冷蔵庫の要部拡大図である。
【図１２】  この発明の実施の形態１による冷蔵庫の要部断面図である。
【図１３】  この発明の実施の形態１による冷蔵庫の要部拡大図である。
【図１４】  この発明の実施の形態１による冷蔵庫の要部拡大図である。
【図１５】  この発明の実施の形態１による冷蔵庫の要部斜視図である。
【図１６】  この発明の実施の形態２による冷蔵庫の要部断面図である。
【図１７】  この発明の実施の形態２による冷蔵庫の要部断面図である。
【図１８】  この発明の実施の形態３による冷蔵庫の要部断面図である。
【図１９】  この発明の実施の形態４による冷蔵庫の要部断面図である。
【図２０】  この発明の実施の形態５による冷蔵庫の要部斜視図である。
【図２１】  この発明の実施の形態６による冷蔵庫の要部斜視図である。
【図２２】  この発明の実施の形態７による冷蔵庫の要部斜視図である。
【図２３】  この発明の実施の形態８による冷蔵庫の要部斜視図である。
【図２４】  この発明の実施の形態９による冷蔵庫の要部拡大図である。
【図２５】  従来の冷蔵庫の要部断面図である。
【図２６】  従来の冷蔵庫の扉の要部斜視図である。
【符号の説明】
１  冷蔵室扉、２  外箱、３  内箱、４  断熱材、５  断熱仕切壁、６  冷蔵室、７  冷凍室、８  冷気吸込風路、９  背面冷気風路、１０  ダンパ、１１  温度センサー、１２  冷気吹出口、１３  棚、１４  扉ポケット、１５  内板、１６  上扉ポケット、１７  下扉ポケット、１８ａ、１８ｂ  フタ、１９  略密閉空間部、２０  通気ダクト、２１  冷気取入口、２２  冷気排出口、２３  上引戸レール、２４  下引戸レール、２５  つまみ、２６  食品当り防止リブ、２７  段差、２８  棚当り防止リブ、２９  傾斜部A、３０  傾斜部B、３１  凹部、３２  爪、３３  接触凸部、３４  マーク、３５  上レール溝、３６  下レール溝、３７  側面ダクト、３８  天井ダクト、３９  天井壁、４０  天面付きフタ、４１  係止部、４２  仕切り、４３ａ、４３ｂ  レール、４４  軸部、４５軸Ａ、４６  軸Ｂ、４７  軸レール、４８  摺動部材、４９  食品、５１  凸部、５２  傷付き防止リブ、５３  冷気取入口、５４  凹部、５５  冷気吹出口、５６  凸部、５７  ストッパー。
【図１】
0003747669.tif 000002
【図２】
0003747669.tif 000003
【図３】
0003747669.tif 000004
【図４】
0003747669.tif 000005
【図５】
0003747669.tif 000006
【図６】
0003747669.tif 000007
【図７】
0003747669.tif 000008
【図８】
0003747669.tif 000009
【図９】
0003747669.tif 000010
【図１０】
0003747669.tif 000011
【図１１】
0003747669.tif 000012
【図１２】
0003747669.tif 000013
【図１３】
0003747669.tif 000014
【図１４】
0003747669.tif 000015
【図１５】
0003747669.tif 000016
【図１６】
0003747669.tif 000017
【図１７】
0003747669.tif 000018
【図１８】
0003747669.tif 000019
【図１９】
0003747669.tif 000020
【図２０】
0003747669.tif 000021
【図２１】
0003747669.tif 000022
【図２２】
0003747669.tif 000023
【図２３】
0003747669.tif 000024
【図２４】
0003747669.tif 000025
【図２５】
0003747669.tif 000026
【図２６】
0003747669.tif 000027